(57)【要約】【課題】本発明は、像担持体に接触する帯電手段に付着する残留トナーを速やかに除去して回収することが可能な画像形成装置を提供することを目的とするものである。【解決手段】帯電器２２に低電圧を印加することで、感光体ドラム２３の表面電位との差により帯電器２２に付着する残留トナーを一旦感光体ドラム２３に転移させ、転移させて残留トナーを現像ローラ２８に低電圧を印加することで、正規の極性の残留トナーを回収し、その後感光体ドラム２３を１回転以上回転させて帯電器２２への帯電電圧の印加処理により残留トナーを正規の極性に帯電させ、現像ローラ２８に回収するようにする。【選択図】図３
2005164688.tif 000002
【特許請求の範囲】
【請求項１】
像担持体と、該像担持体に接触してその表面を帯電させる帯電手段と、前記像担持体の帯電された表面を露光して露光部分を露光電位とすることで静電潜像を形成する露光手段と、前記像担持体表面に形成された静電潜像にトナーを付着させて可視像化する現像手段と、前記像担持体を回転制御するとともに用紙に画像形成するように前記各手段を制御する制御手段とを備えた画像形成装置において、前記制御手段は、前記像担持体に対する前記帯電手段の接触部位の電位が前記露光電位以下となるように前記帯電手段に所定電圧を印加する帯電電圧制御手段と、前記所定電圧が印加された前記帯電手段により接触された前記像担持体の表面領域に対する前記現像手段の対向部位の電位が前記像担持体の表面電位以下となるように前記現像手段に電圧を印加する現像電圧制御手段とを備えていることを特徴とする画像形成装置。
【請求項２】
前記現像電圧制御手段は、前記像担持体の前記表面領域の帯電極性とは逆極性の電圧を印加することを特徴とする請求項１に記載の画像形成装置。
【請求項３】
前記制御手段は、前記所定電圧が印加された前記帯電手段により接触された前記像担持体の表面領域が前記現像手段と対向する位置を通過した後さらに前記像担持体を１回転以上回転動作するよう制御するとともに、該回転動作の間前記帯電電圧制御手段が前記帯電手段に画像形成時の帯電電圧を印加し前記現像電圧制御手段が前記現像手段に画像形成時の現像電圧を印加するように制御することを特徴とする請求項１又は２に記載の画像形成装置。
【請求項４】
前記制御手段は、用紙に画像形成した後の処理工程において前記帯電電圧制御手段及び前記現像電圧制御手段を動作させることを特徴とする請求項１から３のいずれかに記載の画像形成装置。
【発明の詳細な説明】
【技術分野】
【０００１】
本発明は、複写機、プリンタ、ファクシミリ装置等の電子写真方式の画像形成装置に関する。
【背景技術】
【０００２】
電子写真方式の画像形成装置としては、像担持体として例えば感光体ドラムを用いて、その表面に静電潜像を形成し、静電潜像にトナーを付着させて可視像化し用紙に転写する−といった画像形成を行うものが知られている。こうした画像形成装置では、感光体ドラムの表面にトナーが残留することが避けられず、残留トナーをそのままにしておくと画質の低下等のトラブルに原因となるため、速やかに感光体ドラムから除去する必要がある。
【０００３】
残留トナーの除去方法としては、例えば、特許文献１では、残留トナーを磁気ブラシローラでクリーニングするようにしており、磁気ブラシローラには、クリーニング時に残留トナー回収バイアス電圧を印加し、非クリーニング時には回収した残留トナーを感光体ドラムに戻すバイアス電圧を印加して逆荷電トナーを回収ローラに回収する点が記載されている。特許文献２では、感光ドラム上の残留トナーを除去するブレードに、クリーニング前の残留トナーの帯電極性とは逆極性のバイアスを印加して両者の間に電気的な吸引力を発生させる点が記載されている。また、特許文献３では、クリーニングブレードにより掻き取られた回収トナーがファーブラシにより捕集され、電極ローラとファーブラシとの間に、電極ローラ側にトナーの正規の帯電極性と逆極性となるようなバイアス電圧を印加することで、正規の極性に帯電されたトナーが電極ローラによって捕集されて現像装置内にリサイクルされる点が記載されている。
【特許文献１】特開平６−３０８８６５号公報
【特許文献２】特開平１１−５２８０８号公報
【特許文献３】特開２００１−１２５４５５号公報
【発明の開示】
【発明が解決しようとする課題】
【０００４】
上述したような先行文献においては、ブレード等のクリーニング部材を感光体ドラム表面に接触させて残留トナーを除去するようにしているが、こうしたクリーニング部材を設けることは、その分装置の大型化やコストアップを招くことから、好ましいものではない。また、残留トナーについては、感光体ドラム以外に感光体ドラムに接触する部材にも付着しており、こうした残留トナーについても速やかに除去する必要がある。
【０００５】
そこで、本発明は、従来技術の上述した問題点に鑑み、像担持体に接触する帯電手段に付着する残留トナーを速やかに除去して回収することが可能な画像形成装置を提供することを目的とするものである。
【課題を解決するための手段】
【０００６】
本発明に係る画像形成装置は、像担持体と、該像担持体に接触してその表面を帯電させる帯電手段と、前記像担持体の帯電された表面を露光して露光部分を露光電位とすることで静電潜像を形成する露光手段と、前記像担持体表面に形成された静電潜像にトナーを付着させて可視像化する現像手段と、前記像担持体を回転制御するとともに用紙に画像形成するように前記各手段を制御する制御手段とを備えた画像形成装置において、前記制御手段は、前記像担持体に対する前記帯電手段の接触部位の電位が前記露光電位以下となるように前記帯電手段に所定電圧を印加する帯電電圧制御手段と、前記所定電圧が印加された前記帯電手段により接触された前記像担持体の表面領域に対する前記現像手段の対向部位の電位が前記像担持体の表面電位以下となるように前記現像手段に電圧を印加する現像電圧制御手段とを備えていることを特徴とする。さらに、前記現像電圧制御手段は、前記像担持体の前記表面領域の帯電極性とは逆極性の電圧を印加することを特徴とする。さらに、前記制御手段は、前記所定電圧が印加された前記帯電手段により接触された前記像担持体の表面領域が前記現像手段と対向する位置を通過した後さらに前記像担持体を１回転以上回転動作するよう制御するとともに、該回転動作の間前記帯電電圧制御手段が前記帯電手段に画像形成時の帯電電圧を印加し前記現像電圧制御手段が前記現像手段に画像形成時の現像電圧を印加するように制御することを特徴とする。さらに、前記制御手段は、用紙に画像形成した後の処理工程において前記帯電電圧制御手段及び前記現像電圧制御手段を動作させることを特徴とする。
【発明の効果】
【０００７】
上記のような構成を有することで、帯電電圧制御手段により像担持体に対する帯電手段の接触部位の電位が露光電位以下となるように帯電手段に所定電圧を印加するので、像担持体と帯電手段との間に電位差を発生させて帯電手段に付着している残留トナーを像担持体の表面に転移させることができ、現像電圧制御手段により、所定電圧が印加された帯電手段により接触された像担持体の表面領域に対する現像手段の対向部位の電位が像担持体の表面電位以下となるように現像手段に電圧を印加するので、像担持体に転移した残留トナーが現像手段に回収されるようになる。したがって、クリーニング部材等を付加することなく電圧制御のみにより帯電手段に残留したトナーを速やかに効率よく回収することができる。
【０００８】
そして、現像電圧制御手段により像担持体の表面領域の帯電極性とは逆極性の電圧を印加することで、正規の極性の残留トナーを効率よく回収することができる。また、像担持体を１回転以上回転動作するよう制御して、帯電手段に画像形成時の帯電電圧を印加し現像手段に画像形成時の現像電圧を印加することで、正規の極性とは逆極性の残留トナーについても帯電手段により正規の極性に帯電されて現像手段に回収されるようになる。
【０００９】
また、用紙に画像形成した後の処理工程において前記帯電電圧制御手段及び前記現像電圧制御手段を動作させるようにすることで、常時帯電手段に付着した残留トナーを除去回収するので、残留トナーの影響を極力抑えることができる。
【発明を実施するための最良の形態】
【００１０】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１１】
図１は本発明に係る画像形成装置全体の概略断面図である。画像形成装置１の上部には原稿読取部２が配置され、その下部には、底面から給紙部３、記録部４が配されている。
【００１２】
原稿読取部２では、原稿カバー１０が設けられた原稿トレイ１１に載置された原稿が原稿搬送装置１２により読取手段５に対向する位置に搬送されて原稿読取動作が行われ、原稿排紙トレイ１３に排出される。書籍等を読み取る場合には、原稿カバー１０を上方に回動してフラットベッドプラテン１４に書籍等の被読取部分を配置し読取手段により読取動作が行われる。以上の構成は、いわゆるＡＤＦ及びフラットベッドタイプと称される従来の原稿読取装置と同様のものである。
【００１３】
給紙部３では、給紙カセット１５が配置されており、フラッパ１６に所定のサイズの用紙が複数枚積載されている。給紙カセット１５の端部（図１の右端部）には、ピックアップローラ１７が配置されている。そして、フラッパ１６は、積載された用紙の上面がピックアップローラ１７に圧接するように上方に付勢されている。この状態でピックアップローラ１７が回転駆動すると、摩擦力により用紙が一枚ずつ用紙搬送路に給紙されるようになる。
【００１４】
給紙された用紙は、まずフィードローラ１８及びプレスローラ１９により記録部４に搬送される。記録部４では、搬送された用紙に記録するために、現像器２０、回転ブラシ２１、帯電器２２、感光体ドラム２３、転写ローラ２４、レーザースキャンユニット（以下「ＬＳＵ」と略称する。）２５及び定着ローラ２６が備えられている。
【００１５】
感光体ドラム２３は、円筒状で、外周面に感光体として所定膜厚の光導電膜が設けられている。感光体ドラム２３はメインモータにより回転駆動され、帯電器２２、ＬＳＵ２５及び現像器２０によってその表面に像形成が行われる。帯電器２２は、帯電ローラが用いられ、感光体ドラム２３の表面に接触した状態で帯電電圧が印加されることで、感光体ドラム２３の外周面を一様に帯電するように作用する。帯電ローラの代わりに公知の帯電ブラシを用いてもよい。なお、感光体ドラム２３が帯電した状態とは、感光体ドラム２３の表面に電荷が保持された状態を意味する。
【００１６】
ＬＳＵ２５は、レーザーによって発振されたレーザー光を一様に帯電された感光体ドラム２３の表面に照射して露光する。レーザー光を照射する際にポリゴンミラー等の光学系によって感光体ドラム２３の表面を走査させ画像情報に従って静電潜像を形成する。現像器２０は、内部にトナーが貯留されており、供給ローラ２７及び現像ローラ２８によってトナーを感光体ドラム２３表面に転移して表面に形成された静電潜像を可視像化する。現像ローラ２８には現像電圧が印加されており、感光体ドラム２３の表面の帯電電荷と現像電圧との間の電位差によって現像ローラ２８の表面に付着したトナーが移動してトナー像が形成される。
【００１７】
転写ローラ２４は、電子導電性ローラ又はイオン導電性ローラが主に用いられており、いずれも高電圧の転写電圧が印加されてその電界吸引力により感光体ドラム２３の表面に現像されたトナーを移動させる。感光体ドラム２３と転写ローラ２４との間に用紙が存在している場合には用紙にトナーが転写されるようになる。用紙がない場合には感光体ドラム２３の表面に転写ローラ２４が当接した状態になっている。用紙に転写されたトナーは図示せぬ除電ブラシにより電荷が除かれる。
【００１８】
回転ブラシ２１は、転写ローラ２４の下流側に配置されており、感光体ドラム２３の表面に接触して表面に付着している紙粉を除去したり、転写されずに表面に残留したトナーを感光体ドラム２３の表面で分散させるように作用する。回転ブラシ２１には、一定の電圧が印加されており、残留トナーを効率よく分散させるようにしている。
【００１９】
転写されたトナー像は、定着ローラ２６及びプレスローラ２９によって狭持されて加熱・プレスされ用紙に定着される。定着ローラ２６内にはヒータランプが設けられており、ヒータランプを発熱させて加熱する。定着された用紙は、排紙ローラ３０及びプレスローラ３１の間に狭持されて用紙排出トレイ３２に搬出される。
【００２０】
図１において、給紙部３から用紙排出トレイ３２までを一点鎖線で示したのが、用紙搬送路である。また、装置本体１の側面には、反転搬送ユニット４０が着脱自在に装着されており、その装着側面には、用紙搬出口４１及び用紙搬入口４２が形成されている。搬送ユニット４０内には、フィードローラ４３及びプレスローラ４４、フィードローラ４５及びプレスローラ４６の２対の搬送ローラが上下に配設されている。そして、図１の二点鎖線で示すように反転搬送路が、排紙ローラ３０と定着ローラ２６との間の用紙搬送路から分岐して、２対の搬送ローラ４３及び４４、４５及び４６の間を通り、ローラ対１８及び１９とピックアップローラ１７との間の用紙搬送路に合流するように形成される。
【００２１】
用紙搬送路には、排紙ローラ３０と記録部４の定着ローラ２６との間に用紙検知センサ３３が配置されており、ローラ対１８及び１９とピックアップローラ１７との間にも用紙検知センサ３４が配置されている。用紙の片面のみに記録する場合には、一点鎖線で示す用紙搬送路に用紙を搬送し用紙検知センサ３３及び３４の検知信号に基づいて適宜動作制御されて画像形成が行われるが、用紙の両面に記録を行う場合には、片面記録された用紙を一旦用紙排出トレイ３２に排出し、用紙の後端が用紙検知センサ３３により検知されると、排紙ローラ３０を逆回転して用紙を反転搬送路に搬入するように制御される。反転搬送路に搬入された用紙は再び搬送ローラ１８及び１９に搬入されて用紙搬送路を搬送され、もう一方の片面に記録が行われるようになる。
【００２２】
図２は、画像形成装置の全体ブロック図を示している。本実施形態では、ファクシミリ機能及び複写機能を備えており、具体的には、制御手段であるＭＰＵ１００、ネットワークとの交信制御を行うＮＣＵ１０１、ファクシミリ交信制御を行うＭＯＤＥＭ１０２、プログラム等を記憶するＲＯＭ１０３、データ等を記憶するＲＡＭ１０４、受信したり読み取った画像情報を記憶する画像メモリ１０５、画像情報を符号化又は復号化するＣＯＤＥＣ１０６、操作者からの入力情報や警告等の報知情報を送受信する操作部１０７、画像情報を読み取るスキャナ１０８、外部のコンピュータ等からのプリント指令を受信するプリンタインタフェース１０９を備えている。これらの各機能ブロックは、互いにデータバス及びアドレスバスにより接続されており、ＭＰＵ１００により全体制御されるようになっている。そして、ファクシミリで受信した情報、スキャナで読み取った情報及びプリント指令とともに受信した情報は、記録部コントローラ１１０に送信されて用紙に画像形成されるようになる。
【００２３】
図３は、記録部４における回路構成を示す概略図である。上述したように感光体ドラム２３の周囲には、その回転方向に沿って帯電器２２、ＬＳＵ２５、現像器２０、転写ローラ２４及び回転ブラシ２１が順に配列されている。
【００２４】
帯電器２２には、帯電電圧印加回路５０が接続されており、正の帯電電圧ＨＶＣが印加される。記録部コントローラ１１０からの制御信号に基づいて帯電電圧印加回路５０が帯電電圧ＨＶＣを帯電器２２に印加すると感光体ドラム２３の表面は約＋９００Ｖに一様に帯電された状態となる。ＬＳＵ２５には、記録部コントローラ１１０から画像情報に基づく記録信号が送信され、レーザー光を感光体ドラム２３の表面に走査しながら記録信号に基づいて照射し、感光体ドラム２３の一様に帯電された表面を露光して画像情報に対応した静電潜像を形成する。露光されることで、感光体ドラム２３の表面電位は約＋１００Ｖの露光電位となる。
【００２５】
現像器２０内の供給ローラ２７、現像ローラ２８及びブレード３５には現像電圧印加回路５１が接続されており、記録部コントローラ１１０からの制御信号に基づいて現像電圧印加回路５１がそれぞれに電圧を印加する。供給ローラ２７には所定の供給電圧（＋３００Ｖ〜＋７００Ｖ）が印加されて、現像器２０内のトナーを正に帯電させながら現像ローラ２８に供給する。現像ローラ２８には所定の現像電圧ＨＶＢ（＋３００Ｖ〜＋７００Ｖ）が印加され、感光体ドラム２３の表面に接触しながら露光部分との電位差を利用してトナーを転移する。また、ブレード３５には所定のバイアス電圧（＋３００Ｖ〜＋７００Ｖ）が印加され、現像ローラ２８の表面に対して弾性力によって圧接し現像ローラ２８の表面に付着したトナー層の層厚を均一にする。
【００２６】
転写ローラ２４には転写電圧印加回路５２が接続されており、記録部コントローラ１１０からの制御信号に基づいて転写電圧印加回路５２が転写電圧ＨＶＴ（１７００Ｖ）を転写ローラ２４に印加し、感光体ドラム２３の表面に形成されたトナー像を電界吸引力により用紙に転写する。
【００２７】
定着ローラ２６にはヒータ駆動回路５３が接続されており、記録部コントローラ１１０からの制御信号に基づいてヒータ駆動回路５３が動作して定着ローラ２６内のヒータランプを発熱させる。定着ローラ２６の表面温度を検知するためにサーミスタ５４が表面に接触して配置されており、サーミスタ５４の検知信号に基づいて記録部コントローラ１１０はヒータ駆動回路５３を制御し、定着ローラ５３の表面温度を所定温度に維持するようにする。
【００２８】
回転ブラシ２１には分散電圧印加回路５５が接続されており、記録部コントローラ１１０からの制御信号に基づいて分散電圧印加回路５５が分散電圧ＨＶＣＬを回転ブラシ２１に印加し、感光体ドラム２３表面の残留トナーを効率よく分散させるようにする。
【００２９】
記録部コントローラ１１０は、主モータ５６及び副モータ５７に対して制御信号を送信して駆動制御を行う。主モータ５６は、記録部コントローラ１１０からの制御信号に基づいて、ピックアップローラ１７、フィードローラ１８、回転ブラシ２１、感光体ドラム２３、供給ローラ２７、現像ローラ２８、定着ローラ２６、プレスローラ２９を回転駆動させる。また、排紙ローラ３０は、主モータ５６からの回転駆動力によりクラッチを介して用紙を排紙する方向に回転されるようになっている。副モータ５７は、記録部コントローラ１１０からの制御信号に基づいて、フィードローラ４３及び４５を回転駆動するとともに、排紙ローラ３０をクラッチを介して用紙を反転搬送する方向に回転駆動する。
【００３０】
記録部コントローラ１１０は、装置内に配設された排気ファン５８及び吸気ファン５９に対しても制御信号を送信して装置内の吸排気制御を行う。排気ファン５８は、装置内の空気を外部に排出し、吸気ファン５９は、外気を装置内に取り込むように作用する。
【００３１】
転写ローラ２４には、感光体ドラム２３との間で流れる電流値を検知する電流値検知回路６０が接続されており、また、その近傍には、温度検知センサ６１及び湿度検知センサ６２が配設されている。そして、電流値検知回路６０、温度検知センサ６１及び湿度検知センサ６２のそれぞれの検知信号は記録部コントローラ１１０に送信されるようになっている。これらの検知信号に基づいて記録部コントローラ１１０は、感光体ドラム２３の表面のピンホール等の画質低下を招くような異常状態を判定する。
【００３２】
図４から図６は、帯電器２２に残留したトナーを現像ローラ２８に回収して帯電器２２をクリーニングするための制御処理を示しており、図４は、制御処理のタイムチャートを、図５は、感光体ドラム２３の帯電時の表面電位Ｖ0及び露光時の表面電位（露光電位）ＶL、帯電器２２の表面電位ＶC、現像ローラ２８の表面電位ＶBの処理過程における関係を、図６は、制御処理フローをそれぞれ示している。
【００３３】
この制御処理フローは、図６に示すように、記録ジョブで画像形成処理が行われて（Ｓ１００）、転写ローラ２４に用紙が通過してトナーの転写が終了したことをチェックした（Ｓ１０１）後に行われる。
【００３４】
まず、記録部コントローラ１１０から制御信号が帯電電圧印加回路５０に出力されて帯電器２２に低電圧を印加する処理が行われる（Ｓ１０２）。帯電器２２に低電圧が印加されると、図５（ａ）に示すように、ＶC（この例では０Ｖ）は、Ｖ0（この例では＋９００Ｖ）よりも低電位となるため、帯電器２２に付着した残留トナーは電気的な付着力が弱まり、感光体ドラム２３の表面に転移するようになる。この場合、ＶCを露光電位ＶLよりも低電位となるようにしておけば、感光体ドラム２３の表面全体を予め露光して均一な電位状態にしてから帯電器２２に低電圧を印加して残留トナーを確実に転移させることもできるようになる。そして、低電圧印加処理と同時にタイマＴ１及びＴ２がカウントを開始する（Ｓ１０３）。タイマＴ１は、帯電器への低電圧印加処理の時間を決めるためのもので、帯電器２２がローラの場合にはその全周が感光体ドラム２３の表面と接触する時間に設定されており、ブラシの場合にはその全幅が感光体ドラム２３の表面と接触する時間に設定されている。また、タイマＴ２は、現像ローラ２８の低電圧処理を開始するタイミングを決めるためのもので、帯電器２２に低電圧印加処理が行われた感光体ドラム２３の表面領域が現像ローラ２８に到来するまでの時間に設定されている。タイマＴ２のタイムアップがチェックされて（Ｓ１０４）、タイマＴ２のタイムアップにより記録部コントローラ１１０から制御信号が現像電圧印加回路５１に出力されて現像ローラ２８に低電圧を印加する処理が行われる（Ｓ１０５）。
【００３５】
現像ローラ２８に低電圧が印加されると、図５（ｂ）に示すように、ＶB（この例ではー２００Ｖ）は、Ｖ0（この例では＋９００Ｖ）とは逆極性の電位となり、帯電器２２から感光体ドラム２３に転移した残留トナーのうち正規の極性（この例では正極性）を有するトナーが現像ローラ２８に転移して回収されるようになる。現像ローラ２８に低電圧を印加する前に予め感光体ドラム２３の表面を露光することで、残留トナーの吸着力を弱めることができる。
【００３６】
現像ローラ２８に低電圧印加処理を行うと同時にタイマＴ３がカウントを開始する（Ｓ１０６）。タイマＴ３は、帯電器２２に低電圧印加処理が行われた感光体ドラム２３の表面領域が現像ローラ２８を通過するまでの時間に設定されている。
【００３７】
次に、タイマＴ１のタイムアップがチェックされて（Ｓ１０７）、タイマＴ１がタイムアップすると、帯電器２２には帯電電圧印加回路５０により通常の帯電電圧が印加されるようになる（Ｓ１０８）。帯電器２２に帯電電圧が印加されることで、図５（ｃ）に示すように、現像ローラ２８に回収されなかった正規の極性でない残留トナー（この例では負極性）は、感光体ドラム２３の表面で正規の極性に帯電されるようになる。
【００３８】
タイマＴ３のタイムアップがチェックされて（Ｓ１０９）、タイマＴ３がタイムアップすると、現像ローラ２８には現像電圧印加回路５１により通常の現像電圧が印加されるようになる（Ｓ１１０）。現像ローラ２８に現像電圧が印加されることで、図５（ｄ）に示すように、図５（ｃ）において正規の極性に帯電した残留トナーが現像ローラ２８に回収されるようになる。現像ローラ２８への現像電圧の印加処理と同時にタイマＴ４がカウントを開始する（Ｓ１１１）。タイマＴ４は、感光体ドラム２３が１回転して現像ローラ２８が感光体ドラム２３の全周に接触するだけの時間以上に設定されており、タイマＴ４のカウント中に現像ローラ２８は感光体ドラム２３の表面から残留トナーを回収して、最終的に帯電器２２に付着した残留トナーは現像ローラ２８に回収される。
【００３９】
そして、タイマＴ４のタイムアップがチェックされて（Ｓ１１２）、タイマＴ４のタイムアップにより、主モータ５６の回転が停止し帯電器２２への帯電電圧の印加及び現像ローラ２８への現像電圧の印加が停止して待機ジョブに移行する。
【００４０】
以上のように、帯電器２２への低電圧印加処理により帯電器２２に付着する残留トナーを感光体ドラム２３の表面に一旦転移させ、この残留トナーを現像ローラ２８への低電圧印加処理により回収し、さらに感光体ドラム２３を１回転以上回転させて帯電器２２への帯電電圧印加処理及び現像ローラ２８への現像電圧印加処理により回収するようにしているので、残留トナーを効率よく確実に回収することができる。
【図面の簡単な説明】
【００４１】
【図１】本発明に係る実施形態に関する全体構成を示す概略断面図である。
【図２】本発明に係る実施形態に関する全体ブロック図である。
【図３】本発明に係る実施形態に関する要部回路構成図である。
【図４】本発明に係る実施形態に関する制御処理のタイムチャートである。
【図５】本発明に係る実施形態に関する制御処理過程を示す説明図である。
【図６】本発明に係る実施形態に関する制御処理フローである。
【符号の説明】
【００４２】
１    装置本体
２    原稿読取部
３    給紙部
４    記録部
５    読取手段
【図１】
2005164688.tif 000003
【図２】
2005164688.tif 000004
【図３】
2005164688.tif 000005
【図４】
2005164688.tif 000006
【図５】
2005164688.tif 000007
【図６】
2005164688.tif 000008